(57)【要約】【課題】既存の霊廟においても容易かつ経済的に除湿、除菌及び害虫駆除を可能にする霊廟の部品組を提供する。【解決手段】墓地の地上部に立設される四つ組枠６で構成された外気が流入する吸気口４ａ及び吸気孔４ｂを設けた納骨室５と、この納骨室５に貫通孔２ａを介して取付けられる排気ファン２と、この排気ファン２に駆動力を付与する太陽電池パネル９と、納骨室５内に防虫フィルター８を介して害虫忌避剤を蒸散する害虫忌避剤収容タンク３とを備える。【選択図】  図１
0003220609.tif 000002
【実用新案登録請求の範囲】
【請求項１】
墓地の地上部に立設される四つ組枠板で構成されると共に、外気が流入する吸気口を設けた納骨室と、この納骨室に貫通孔を介して取付けられる排気ファンと、この排気ファンに駆動力を付与する太陽電池パネルと、前記納骨室内に防虫フィルターを介して害虫忌避剤を蒸散する害虫忌避剤収容タンクとを備えたことを特徴とする霊廟の部品組。
【請求項２】
四つ組枠板の任意箇所にカロト内に貫通するガラス板又は透明なプラスチック板で覆われる採光用の透孔を設け、このガラス板又は透明なプラスチック板をエッチング加工して文字、図柄、装飾文様が描出されていることを特徴とする請求項１記載の霊廟の部品組。
【請求項３】
ガラス板又は透明なプラスチック板がステンドグラス様に構成されていることを特徴とする請求項２記載の霊廟の部品組。
【考案の詳細な説明】
【技術分野】
【０００１】
本考案は、霊廟納骨室内の除湿及び害虫駆除するために使用される霊廟の部品組に関し、とくに既存の霊廟に後付けで増設可能な霊廟の部品組に関するものである。
【背景技術】
【０００２】
一般的に霊廟の納骨室（「カロト」と呼ばれている）は地下又は半地下となっている。このため、納骨室内は結露等により湿度が高く、空気が淀み、雑菌の繁殖等により異臭が発生する。そこで従来は、カビや悪臭の発生を防止するために、納骨室と外部との通気孔を設けたり、除湿剤を設置する方法が採られている。
【０００３】
納骨室の内部はその周囲を地中とコンクリート材や石材によって隔てられてはいるが、墓参者が墓石を洗浄するため水をかける風習がある。さらに、地下水や雨水の浸入により、納骨室内部が浸水し、骨壺内に水が溜まってしまうこともある。また、「芝台」や「拝石」の隙間などから侵入したゲジやヤスデなどの湿気を好む昆虫の棲み家となっていることが多く見られる。このような不衛生な環境下にある霊廟であっては、遺族など墓参する者の物故者に対する精神的な安堵感が得られないという問題もあった。
【０００４】
そこで、納骨室を強制的に換気して除湿するべく、太陽電池あるいは商用電源から電力の供給を受けて駆動するファンユニットを備えた吸排気ダクト等を設置した納骨室を備えた墓所が提案されている（例えば、特許文献１、特許文献２及び特許文献３参照。）。本考案者もまた納骨室の換気を強制的且つ自動的に行い、除湿、除菌及び害虫駆除を行うようにした納骨室の換気方法を提案している（特許文献４参照。）。
【先行技術文献】
【特許文献】
【０００５】
【特許文献１】特開平７−２６９１７０号公報
【特許文献２】特開平９−４９３４７号公報
【特許文献３】特許第２６３１８３４号公報
【特許文献４】特許第４２９２４８２号公報
【考案の概要】
【考案が解決しようとする課題】
【０００６】
しかしながら、従前にように納骨室（カロト）が地下部に構築され、密閉しきってしまった既存の霊廟については、こうした除湿、除菌及び害虫駆除を行うことは甚だ困難であった。本考案は、前記従来技術の課題に鑑み、既存の霊廟においても容易かつ経済的に除湿、除菌及び害虫駆除を可能にする霊廟の部品組を提供することを目的とする。
【課題を解決するための手段】
【０００７】
そこで、本考案の霊廟の部品組は、墓地の地上部に立設される四つ組枠板で構成されると共に、外気が流入する吸気口を設けた納骨室と、この納骨室に貫通孔を介して取付けられる排気ファンと、この排気ファンに駆動力を付与する太陽電池パネルと、前記納骨室内に防虫フィルターを介して害虫忌避剤を蒸散する害虫忌避剤収容タンクとを備えたことを第１の特徴とする。また、四つ組枠板の任意箇所に納骨室内に貫通するガラス板又透明なプラスチック板で覆われる採光用の透孔を設け、この透明板又透明なプラスチック板をエッチング加工して文字、図柄、装飾文様が描出されていることを第２の特徴とする。さらにガラス板又は透明なプラスチック板がステンドグラス様に構成されていることを第３の特徴とする。
【考案の効果】
【０００８】
本考案によれば、下記の優れた効果がある。
（１）既存の霊廟も容易且つ経済的に除湿及び害虫駆除が可能になる。
（２）既設の霊廟の美観を損ねることなく増設が可能になる。
（３）施主の物故者を慈しむ心情を表現できる。
【図面の簡単な説明】
【０００９】
【図１】本考案に係る霊廟の部品組を示す分解斜視図である。
【図２】本考案により改築された霊廟の斜視図である。
【図３】従来の霊廟部分と増築部分を区別して示す斜視図である。
【考案を実施するための形態】
【００１０】
以下、本考案の実施の形態を図面に示す実施例に基づいて説明する。
【実施例】
【００１１】
先ず、図３に既設霊廟１（図中、仮想線：２点鎖線で示す）と本考案に係る部品組で地上部に増築された納骨室５となる四つ組枠６（図中、実線で示す）を区別して表す。この増築された納骨室５の四つ組枠６の正面枠板６ａには、ガラス板又は透明なプラスチック板（以下、単に透明板という）７で覆われる採光用の透孔７ａが納骨室５内と貫通して設けられている。
【００１２】
すなわち、図１乃至図２に示すように、本考案に係る霊廟１は、地上部に立設される四つ組枠６により中空箱型形状に画成された納骨室５と、この納骨室５の上に載置された墓碑１とから構成されている。ここで、霊廟１は、墓碑本体１ａ、墓碑定盤１ｂ、納骨室天板１ｃ、左右一対の花立て柱１ｄ及びその間に設けられた焼香皿１ｅとからなり、その近傍に設置された物故者の名前や物故年月日を刻んだ墓碑銘板１１とから構成されている。そして、前述したように、これらの墓碑１や墓碑銘板１１は、従前の地下に納骨室があるタイプの既存の霊廟の地上部分と同様である。
【００１３】
つまり、本考案は、墓地の地上部に立設される四つ組枠６で構成された外気を吸気する吸気口４ａ及び吸気孔４ｂを設けた納骨室５と、この納骨室５に貫通孔２ａを介して取付けられる排気ファン２と、この排気ファン２に駆動力を付与する太陽電池パネル９と、納骨室５内にメンブレンフィルター８とその略中央に嵌め込まれた円盤状の防虫フィルター３ａを介して害虫忌避剤を蒸散する害虫忌避剤収容タンク３とを備えた部品組であり、既存の霊廟においても後付けが容易で増築可能なものであることを要旨とする。
【００１４】
図１に示すように、納骨室５は、正面枠板６ａ、左側面枠板６ｂ、右側面枠板６ｃ及び背面枠板６ｄからなる四つ組枠６を墓碑定盤１ｂ及び納骨室天板１ｃで覆って地上部、すなわち墓地面Ｇと墓碑１との間に介在させ立設して形成される。ここで、納骨室５の左の壁、すなわち、左側面枠板６ｂには外部と連通して外気が流入する吸気口４ａが穿設される。そして、吸気口４ａには害虫忌避剤収容タンク３が収納できるようにされている。図中、４はそのタンクカバーである。また、右側面枠板６ｃにも吸気孔４ｂが貫通して設けられ、その外部には防塵フード２ｂが取付けられる。尚、この右側面枠板６ｃの吸気孔４ｂには、後述する排気ファン２を取り付けて排気口として機能させても良い、すなわち、排気ファン２を３台設置することができる。
【００１５】
排気ファン２は、円筒形の通気ダクト２ｃ内部に防水を施されて取り付けられている。排気ファン２ｃにはモーター（図示せず）が連結されており、墓碑１の頂部に載置された太陽電池パネル９に送電コード１０により電気的に接続され、太陽電池パネル９から供給される電力によって回動する。送電コード１０の導入経路は、墓碑１の墓碑本体１ａ及び墓碑定盤１ｂに送電コード挿通孔１０ａ及び１０ｂを穿孔して形成される。尚、送電コード１０の劣化防止のために挿通孔１０ａ及び１０ｂ内に樹脂製パイプ等を配しても良い。
【００１６】
排気ファン２の通気ダクト２ｃは納骨室５の壁に穿設された排気孔２ａに挿通され、フードカバー２ａが金網（図示せず）を介して嵌合して取り付けられており、納骨室５外部と通気可能に設けられている。ここで、排気ファン２は太陽電池パネル９が発電しない雨天時及び夜間を除いて常時駆動し、納骨室５内の湿気や悪臭を帯びた空気を外部に排出する。
【００１７】
害虫忌避剤としては、ヒバオイル、ヒノキオイル、ラベンダーオイル等の殺菌性の高い液体が用いられる。これらはそれぞれ単体で用いても良いし、望ましくはこれらを幾種か適宜混合することで、害虫の忌避効果のみならず芳香も得られる。そして、害虫忌避剤収容タンク３は吸気口４ａにメンブレンフィルター８を介して連通し、排気装置２を駆動させると、その引圧により害虫忌避剤８が納骨室５内に蒸散される。排気装置２が駆動している間は常に納骨室５内に害虫忌避剤が蒸散された状態となる。尚、害虫忌避剤収容タンク３は、墓碑１と同材質の石製のカバー４により通常は隠蔽する。
【００１８】
以上のような構成によって、太陽電池パネル９から送電されて排気ファン２が作動し、納骨室５内を換気する。すなわち、霊廟１の地上部分に、太陽電池パネル９に電気的に接続されたモーターによって駆動される排気ファン２を備え、霊廟の地上部分にある納骨室５の室内空間を通風可能にする。そして、太陽電池パネル９を墓碑本体１ａの頂部に太陽に向けて装着すれば太陽光の収集効率を高められばかりでなく、墓地の景観を壊すこともない。
【００１９】
四つ組枠６の正面枠板６ａの略中央には、納骨室５内に貫通する円形の貫通孔７ａが穿設されていて、矩形の透明板７で被覆され納骨室５内に採光できるようにされているが、この透明板７には、エッチング加工した文字、図柄、装飾文様Ｍ等が描出されている。透明板７は着脱自在に取り付けられているので、施主の希望に応じて異なるデザインのものに何時でも交換することができる。また、物故者の宗旨に応じて、透明板７をステンドグラス様に構成するものでも良い。
【符号の説明】
【００２０】
１      墓碑
１ａ    墓碑本体
１ｂ    墓碑定盤
１ｃ    納骨室天板
１ｄ    花立て柱
１ｅ    焼香皿
２      排気ファン
２ａ    排気ファン取付孔
２ｂ    フードカバー
２ｃ    通気ダクト
３      害虫忌避剤収容タンク
３ａ    防虫フィルター
４      タンクカバー
４ａ    害虫忌避剤収容タンク兼吸気口
４ｂ    吸気孔
５      納骨室（カロト）
６      四つ組枠
６ａ    正面枠板
６ｂ    左側面枠板
６ｃ    右側面枠板
６ｄ    背面枠板
７      ガラス板又は透明なプラスチック板（透明板）
７ａ    採光用の透孔
８      メンブレンフィルター
９      太陽電池パネル
１０    送電コード
１０ａ  送電コード挿通孔（又はパイプ）
１０ｂ  送電コード挿通孔（又はパイプ）
１１    墓標銘板
Ｇ      墓地面
Ｍ      エッチング加工された文字や家紋などの図柄、装飾文様
【図１】
0003220609.tif 000003
【図２】
0003220609.tif 000004
【図３】
0003220609.tif 000005